(57)【要約】【課題】固定機能を備えた折り畳み式ランニングマシン及びその使用方法を提供する。【解決手段】本発明の折り畳み式ランニングマシンはランニング台本体１、第一立柱３、コンソール２、第一固定可能伸縮機構５を有する。コンソール２は第一立柱３の上端部に取り付けられ、第一立柱３の下端部とランニング台本体１の片側は可動するように接続され、第一立柱３はランニング台本体１に相対して前後に回転する。第一立柱３の中部とランニング台本体１の片側間に第一固定可能伸縮機構５が接続される。第一立柱３は第一固定可能伸縮機構５が伸び出した状態にある時、ランニング台本体１、第一固定可能伸縮機構５との間に三角形エリアを形成する。第一立柱３は第一固定可能伸縮機構５において収縮状態にある時、ランニング台本体１に平行である。【選択図】図２
2019171063.tif 000002
【特許請求の範囲】
【請求項１】
固定機能を備えた折り畳み式ランニングマシンであって、
ランニング台本体、第一立柱、コンソール、及び第一固定可能伸縮機構を有し、
前記コンソールは、前記第一立柱の上端部に取り付けられ、前記第一立柱の下端部と前記ランニング台本体の片側とは可動するように接続され、しかも前記第一立柱は、前記ランニング台本体に相対して前後に回転でき、
前記第一立柱の中部と前記ランニング台本体の片側の間には、前記第一固定可能伸縮機構が接続され、
前記第一立柱は、前記第一固定可能伸縮機構が伸び出した状態にある時、前記ランニング台本体、前記第一固定可能伸縮機構との間に、三角形エリアを形成し、
前記第一立柱は、前記第一固定可能伸縮機構において、収縮状態にある時、前記ランニング台本体に平行であることを特徴とする、折り畳み式ランニングマシン。
【請求項２】
第二固定可能伸縮機構をさらに有し、
前記コンソールの後端部と前記第一立柱の上端部とは、可動するように接続され、しかも前記コンソールは、前記第一立柱に相対して前後に回転し、
前記コンソールの中部底側と前記第一立柱の中部前側の間には、前記第二固定可能伸縮機構がヒンジ接続されることを特徴とする、請求項１に記載の折り畳み式ランニングマシン。
【請求項３】
第二固定可能伸縮機構をさらに有し、
前記コンソールの前端部と前記第一立柱の上端部とは、可動するように接続され、しかも前記コンソールは、前記第一立柱に相対して前後に回転し、
前記コンソールの中部底側と前記第一立柱の中部後側の間には、前記第二固定可能伸縮機構がヒンジ接続されることを特徴とする、請求項１に記載の折り畳み式ランニングマシン。
【請求項４】
第二立柱をさらに有し、
前記コンソールの前端部と前記第一立柱の上端部とは、可動するように接続され、しかも前記コンソールは、前記第一立柱に相対して前後に回転し、
前記コンソールの中部と前記ランニング台本体の片側の間には、前記第二立柱がヒンジ接続され、
前記ランニング台本体、前記コンソール、前記第一立柱と前記第二立柱は、平行四辺形機構を構成することを特徴とする、請求項１に記載の折り畳み式ランニングマシン。
【請求項５】
第二立柱をさらに有し、
前記コンソールの中部と前記第一立柱の上端部とは、可動するように接続され、しかも前記コンソールは、前記第一立柱に相対して前後に回転し、
前記コンソールの前部と前記ランニング台本体の片側の間には、前記第二立柱がヒンジ接続され、
前記ランニング台本体、前記コンソール、前記第一立柱と前記第二立柱は、平行四辺形機構を構成することを特徴とする、請求項１に記載の折り畳み式ランニングマシン。
【請求項６】
前記第一固定可能伸縮機構は、セルフロック牽引式ガススプリング、液圧シリンダー、気圧シリンダー、或いは電動持ち上げポールの内のいずれか一つであることを特徴とする、請求項１に記載の折り畳み式ランニングマシン。
【請求項７】
前記第二固定可能伸縮機構は、セルフロック牽引式ガススプリング、液圧シリンダー、気圧シリンダー、或いは電動持ち上げポールの内のいずれか一つであることを特徴とする、請求項２或いは３に記載の折り畳み式ランニングマシン。
【請求項８】
前記セルフロック牽引式ガススプリングは、シリンダー、ピストン、ピストンロッド、ニードルバルブ、及び端蓋を有し、
前記ピストンは、前記シリンダー内に設置され、しかも前記ピストンと前記シリンダーは、密封スライド対応し、前記端蓋は、前記シリンダーの開口位置に取り付けられ、
前記ピストンは、前記ピストンロッドの内端部に固定され、前記ピストンロッドは、前記端蓋の中心孔から伸び出し、前記ピストンロッドの外側壁と前記端蓋の内側壁の間には、シールリングが設置され、前記シリンダーのロッドレスキャビティには、油液が充填され、前記シリンダーのロッドキャビティには、気体が充填され、
前記ニードルバルブは、前記ピストンロッド内に設置され、前記ニードルバルブのバルブは、前記ピストン上に設置され、前記ニードルバルブのスイッチは、前記ピストンロッドの外端部に設置されることを特徴とする、請求項６に記載の折り畳み式ランニングマシン。
【請求項９】
前記スイッチは偏心回転スイッチであり、前記偏心回転スイッチは、回転ハンドルとカムを有し、
前記カムは、前記ピストンロッドの外端部に回転するように取り付けられ、前記回転ハンドルと前記カムは、固定するように接続され、前記カムは、前記ニードルバルブのニードルロッドの昇降運動を駆動することを特徴とする、請求項８に記載の折り畳み式ランニングマシン。
【請求項１０】
請求項１から５のいずれか一項に記載の折り畳み式ランニングマシンの使用方法であって、
（１）下方へ折り畳む時、先ず前記第一固定可能伸縮機構を緩め、次に、前記第一固定可能伸縮機構を収縮させることで、前記第一立柱は、前記ランニング台本体に相対して回転し、極限収納状態まで折り畳まれ、
（２）上方へ展開する時、先ず前記第一固定可能伸縮機構を伸ばすと、前記第一立柱は極限状態まで自動的に展開し、次に前記第一固定可能伸縮機構を固定することを特徴とする、折り畳み式ランニングマシンの使用方法。
【発明の詳細な説明】
【技術分野】
【０００１】
本発明はランニングマシン技術領域に関し、特に固定機能を備えた折り畳み式ランニングマシン及びその使用方法に関する。
【背景技術】
【０００２】
ランニングマシンは家庭及びフィットネスジムに常備されているフィットネス器材である。しかも、現在、家庭用フィットネス器材において最も簡単なものであるため、家庭用フィットネス器材としては最良の選択肢である。
しかし、既存のランニングマシンの立柱は、一般には固定されており、折り畳んで収納することはできない。そのため、使用しない時には、空間を大きく占拠するという不合理な設計となっており、非常に不便である。既存のランニングマシンについては、例えば特許文献１に開示されている。
【先行技術文献】
【特許文献】
【０００３】
【特許文献１】特開２００６−１５８８３０
【発明の概要】
【発明が解決しようとする課題】
【０００４】
前記先行技術には、立柱が固定式で折り畳み収納ができず、不使用時に空間を大きく占拠するという欠点がある。
【課題を解決するための手段】
【０００５】
本発明は折り畳み式ランニングマシン及びその使用方法に関する。
【０００６】
本発明による固定機能を備えた折り畳み式ランニングマシンは、ランニング台本体、第一立柱、コンソール、及び第一固定可能伸縮機構を有する。
該コンソールは、該第一立柱の上端部に取り付けられる。
該第一立柱の下端部と該ランニング台本体の片側とは可動するように接続され、しかも該第一立柱は、該ランニング台本体に相対して前後に回転でき、該第一立柱の中部と該ランニング台本体の片側の間には、該第一固定可能伸縮機構が接続される。
該第一立柱は、該第一固定可能伸縮機構が伸び出した状態にある時、該ランニング台本体、該第一固定可能伸縮機構との間に、三角形エリアを形成する。
該第一立柱は、該第一固定可能伸縮機構において、収縮状態にある時、該ランニング台本体に平行である。
【０００７】
さらに、該固定機能を備えた折り畳み式ランニングマシンは、第二固定可能伸縮機構をさらに有する。
該コンソールの後端部と該第一立柱の上端部とは、可動するように接続され、しかも該コンソールは、該第一立柱に相対して前後に回転し、該コンソールの中部底側と該第一立柱の中部前側の間には、該第二固定可能伸縮機構がヒンジ接続される。
【０００８】
さらに、該固定機能を備えた折り畳み式ランニングマシンは、第二固定可能伸縮機構をさらに有する。
該コンソールの前端部と該第一立柱の上端部とは、可動するように接続され、しかも該コンソールは、該第一立柱に相対して前後に回転し、該コンソールの中部底側と該第一立柱の中部後側の間には、該第二固定可能伸縮機構がヒンジ接続される。
【０００９】
さらに、該固定機能を備えた折り畳み式ランニングマシンは、第二立柱をさらに有する。
該コンソールの前端部と該第一立柱の上端部とは、可動するように接続され、しかも該コンソールは、該第一立柱に相対して前後に回転し、該コンソールの中部と該ランニング台本体の片側の間には、該第二立柱がヒンジ接続される。
該ランニング台本体、該コンソール、該第一立柱と該第二立柱は、平行四辺形機構を構成する。
【００１０】
さらに、該固定機能を備えた折り畳み式ランニングマシンは、第二立柱をさらに有する。
該コンソールの中部と該第一立柱の上端部とは、可動するように接続され、しかも該コンソールは、該第一立柱に相対して前後に回転し、該コンソールの前部と該ランニング台本体の片側の間には、該第二立柱がヒンジ接続される。
該ランニング台本体、該コンソール、該第一立柱と該第二立柱は、平行四辺形機構を構成する。
【００１１】
さらに、該第一固定可能伸縮機構は、セルフロック牽引式ガススプリング、液圧シリンダー、気圧シリンダー、或いは電動持ち上げポールの内のいずれか一つである。
【００１２】
さらに、該第二固定可能伸縮機構は、セルフロック牽引式ガススプリング、液圧シリンダー、気圧シリンダー、或いは電動持ち上げポールの内のいずれか一つである。
【００１３】
さらに、該セルフロック牽引式ガススプリングは、シリンダー、ピストン、ピストンロッド、ニードルバルブ、及び端蓋を有する。
該ピストンは、該シリンダー内に設置される。しかも、該ピストンと該シリンダーは、密封スライド対応する。該端蓋は、該シリンダーの開口位置に取り付けられる。
該ピストンは、該ピストンロッドの内端部に固定される。該ピストンロッドは、該端蓋の中心孔から伸び出し、該ピストンロッドの外側壁と該端蓋の内側壁の間には、シールリングが設置され、該シリンダーのロッドレスキャビティには、油液が充填され、該シリンダーのロッドキャビティには気体が充填される。
該ニードルバルブは、該ピストンロッド内に設置され、該ニードルバルブのバルブは、ピストン上に設置され、該ニードルバルブのスイッチは、該ピストンロッドの外端部に設置される。
【００１４】
さらに、該スイッチは偏心回転スイッチであり、該偏心回転スイッチは、回転ハンドルとカムを有する。
該カムは、ピストンロッドの外端部に回転するように取り付けられる。該回転ハンドルと該カムは、固定するように接続され、該カムは、ニードルバルブのニードルロッドの昇降運動を駆動する。
【００１５】
上述の折り畳み式ランニングマシンの使用方法は、以下の通りである。
（１）下方へ折り畳む時、先ず該第一固定可能伸縮機構を緩め、次に、該第一固定可能伸縮機構を収縮させることで、該第一立柱は、該ランニング台本体に相対し回転し、極限収納状態まで折り畳まれる。
（２）上方へ展開する時、先ず該第一固定可能伸縮機構を伸ばすと、該第一立柱は極限状態まで自動的に展開し、次に該第一固定可能伸縮機構を固定する。
【００１６】
上述の技術的特徴により、以下の効果を達成できる。
１．該第一固定可能伸縮機構、該第二固定可能伸縮機構の展開・伸縮可能な特性と、該スイッチのフレキシブルに制御可能な特性を利用し、本発明ランニングマシンの折り畳み収納はさらに便利にスピーディーとなる。又、該スイッチを固定することで、全体の受け止め力の安全規定要求を満たすことができ、展開時に安定し信頼性が高くなる。さらに、収納時に占拠する空間は小さくなり、包装材を節約できる。
２．該第一立柱及び該第二立柱は折り畳み収納状態の時に、ランニング台本体に平行な状態となり、設備の運行で生じる震動が、該各第一立柱及びコンソール部分の震動騒音を引き起こすことはない。
【図面の簡単な説明】
【００１７】
【図１】本発明第一実施形態の折り畳み構造を示す側面模式図である。
【図２】本発明第一実施形態の展開状態を示す斜視図である。
【図３】本発明第一実施形態の折り畳み構造を示す側面図である。
【図４】本発明第一実施形態の折り畳み状態を示す斜視図である。
【図５】本発明第一実施形態の折り畳み状態を示す側面図である。
【図６】セルフロック牽引式ガススプリングの外部構造を示す側面模式図である。
【図７】セルフロック牽引式ガススプリングのスイッチ回転方向を示す斜視模式図である。
【図８】セルフロック牽引式ガススプリングの内部構造を示す断面模式図である。
【図９】本発明第二実施形態の折り畳み構造を示す側面模式図である。
【図１０】本発明第三実施形態の折り畳み構造を示す側面模式図である。
【図１１】本発明第四実施形態の折り畳み構造を示す側面模式図である。
【発明を実施するための形態】
【００１８】
（一実施形態）
図１〜８に示す通り、固定機能を備えた折り畳み式ランニングマシンは、ランニング台本体１、複数の第一立柱３、コンソール２、２個の第一固定可能伸縮機構５、及び２個の第二固定可能伸縮機構４を有する。
コンソール２は、各第一立柱３の上端部に取り付けられる。
各第一立柱３の下端部は、ランニング台本体１の両側とそれぞれ可動するように接続され、しかも各第一立柱３は、ランニング台本体１に相対して前後に回転できる。
各第一立柱３の中部とランニング台本体１の両側の間には、左右対称に分布する各第一固定可能伸縮機構５をそれぞれ接続する。
任意の第一立柱３が、接続する第一固定可能伸縮機構５において伸び出した状態にある時、ランニング台本体１、接続する第一固定可能伸縮機構５との間には、三角形エリアを形成する。
こうして、各第一立柱３は、展開時には安定的に立て、各第一立柱３は、各第一固定可能伸縮機構５において収縮状態にある時には、ランニング台本体１に平行、或いは平行に近い。
【００１９】
第一実施形態中において、各第一立柱３の下端部は、ランニング台本体１の前部両側にそれぞれヒンジ接続する。
各第一固定可能伸縮機構５は、各第一立柱３の中部後側とランニング台本体１の中部両側の間にそれぞれヒンジ接続される。
コンソール２の後端部と各第一立柱３の上端部は、可動するように接続し、しかもコンソール２は、各第一立柱３に相対して前後に回転できる。
コンソール２の中部底側と各第一立柱３の中部前側の間には、左右対称に分布する各第二固定可能伸縮機構４をそれぞれヒンジ接続する。
【００２０】
第一実施形態中において、図８に示す通り、各第一固定可能伸縮機構５と各第二固定可能伸縮機構４は共に、セルフロック牽引式ガススプリングであるが、液圧シリンダー、気圧シリンダー或いは電動持ち上げポール等固定機能を備えた伸縮機構を採用することもできる。
本実施形態は、第一固定可能伸縮機構５を例として説明する。
セルフロック牽引式ガススプリングは、シリンダー９１、ピストン９２、ピストンロッド９３、ニードルバルブと端蓋９４を採用するが、これに限定されない。
ピストン９２は、シリンダー９１内に設置され、しかもピストン９２とシリンダー９１は、密封スライド対応する。
端蓋９４は、シリンダー９１の開口位置に取り付けられる。
ピストン９２は、ピストンロッド９３の内端部に固定される。
ピストンロッド９３は、端蓋９４の中心孔から伸び出し、ピストンロッド９３の外側壁と端蓋９４の内側壁の間には、シールリング９６を設置する。
シリンダー９１のロッドレスキャビティには、油液９７を充填し、シリンダー９１のロッドキャビティには、気体９８を充填する。
ニードルバルブは、ピストンロッド９３内に設置し、ニードルバルブのバルブ９９は、ピストン９２上に設置し、ニードルバルブのスイッチ８は、ピストンロッド９３の外端部に設置する。
【００２１】
第一実施形態中において、スイッチ８は偏心回転スイッチで、偏心回転スイッチは、回転ハンドル８１とカム８２を有する。
カム８２は、ピストンロッド９３の外端部に回転するように取り付けられる。
回転ハンドル８１とカム８２は、固定するように接続され、カム８２は、ニードルバルブのニードルロッド９５の昇降運動を駆動する。
回転ハンドル８１を回すことで、カム８２は、ニードルロッド９５の押し引き動作を駆動し、ニードルロッド９５により、ピストン９２上のバルブ９９の開閉を連動する。
バルブ９９を開くと、外力を用いて、第一固定可能伸縮機構５を圧縮でき、バルブ９９を閉じると、第一固定可能伸縮機構５は固定される。
【００２２】
第一実施形態中において、ランニング台本体１の前部両側下方には、それぞれ１個の第一サポートブロック６を固定して設置する。
各第一サポートブロック６は、上向きに湾曲する第一ヒンジ接続耳板を有する。
各第一立柱３の下端部は、それぞれ複数の回転シャフトを通して、２個の第一ヒンジ接続耳板と、回転するように接続し、２個の第一可動回転点２１を形成する。
ランニング台本体１の中部両側下方には、それぞれ１個の第二サポートブロック７をそれぞれ固定して設置する。
各第二サポートブロック７は、上向きに湾曲する第二ヒンジ接続耳板を有する。
２個の第一固定可能伸縮機構５のシリンダー端は、複数の回転シャフトをそれぞれ通して、２個の第二ヒンジ接続耳板と回転するように接続し、２個の第一支点１１を形成する。
【００２３】
第一実施形態中において、各第一立柱３の下部後側には共に、第一ヒンジ接続耳台をそれぞれ設置する。
２個の第一固定可能伸縮機構５のピストンロッド端は、複数の回転シャフトをそれぞれ通して、２個の第一ヒンジ接続耳台と回転するように接続し、２個の第二支点１２を形成する。
各第一立柱３の中部前側には共に、第二ヒンジ接続耳台をそれぞれ設置し、２個の第二固定可能伸縮機構４のシリンダー端は、複数の回転シャフトをそれぞれ通して、２個の第二ヒンジ接続耳台と回転するように接続し、２個の第三支点１３を形成する。
【００２４】
第一実施形態中において、コンソール２の中部底側両辺には共に、第三ヒンジ接続耳台をそれぞれ固定して設置する。
２個の第二固定可能伸縮機構４のピストンロッド端は、複数の回転シャフトをそれぞれ通して、２個の第三ヒンジ接続耳台と回転するように接続し、２個の第四支点１４を形成する。
第一実施形態中において、コンソール２の後部底側両辺には共に、第四ヒンジ接続耳台をそれぞれ固定して設置する。
各第一立柱３の上端前側両辺には共に、第五ヒンジ接続耳台をそれぞれ設置し、２個の第五ヒンジ接続耳台は、複数の回転シャフトをそれぞれ通して、２個の第四ヒンジ接続耳台と回転するように接続し、２個の第二可動回転点２２を形成する。
【００２５】
図１〜５に示す固定機能を備えた折り畳み式ランニングマシンの使用方法は以下の通りである。
（１）下方へ折り畳み時、先ず各スイッチ８を通して各第二固定可能伸縮機構４と各第一固定可能伸縮機構５を緩める。続いて、力Ｆを用いて下方へコンソール２を押し、コンソール２は、力Ｆ１により、各第二固定可能伸縮機構４を下方へと押し、各第一立柱３にそれぞれ相対し、各第一立柱３に平行な極限状態まで回転させて折り畳み、次に各第一立柱３とコンソール２はいっしょに力Ｆ２により、各第一固定可能伸縮機構５を斜め下へと押し、ランニング台本体１に相対し、極限収納状態まで回転させて折り畳む。図１中の矢印は折り畳み方向を示す。
（２）上方へと展開時、先ず所定の力を用いて、コンソール２を所定の角度まで持ち上げると、各第二固定可能伸縮機構４と各第一固定可能伸縮機構５は自動的に展開し、コンソール２、各第一立柱３はそれぞれの極限状態まで自動的に展開し、続いて各スイッチ８を通して、各第二固定可能伸縮機構４と各第一固定可能伸縮機構５を固定する。全体展開後はＺ形を呈する。
【００２６】
本発明第一実施形態は、展開・伸縮可能な固定可能伸縮機構を利用し、各スイッチ８のハンドルを手動で回すことで、フレキシブルに制御可能な特性により、ランニングマシンの折り畳み収納をさらに便利にスピーディーにし、各スイッチ８を固定することで、全体の受け止め力の安全規定要求を満たすことができ、使用時にはさらに安定し信頼性が高くなり、収納時に占拠する空間は小さくなり、包装材を節約できる。
各第一立柱３は折り畳み収納状態時に、平行又は平行に近い状態となり、設備の運行で生じる震動が、各第一立柱３及びコンソール２部分の震動騒音を引き起こすことはない。
【００２７】
（第二実施形態）
図９に示す通り、固定機能を備えた折り畳み式ランニングマシンの構造と第一実施形態との違いは以下の通りである。
各第一立柱３の下端部は、ランニング台本体１の中部両側にそれヒンジ接続される。
各第一固定可能伸縮機構５は、各第一立柱３の中部前側とランニング台本体１の前部両側の間にそれぞれヒンジ接続される。
コンソール２の前端部と各第一立柱３の上端部は、可動するように接続し、しかもコンソール２は、各第一立柱３に相対して前後に回転できる。
コンソール２の中部底側と各第一立柱３の中部後側の間は、２個の左右対称に分布する第二固定可能伸縮機構４をヒンジ接続する。
固定機能を備えた折り畳み式ランニングマシンの使用方法は、第一実施形態と相同であるが、全体展開後は、逆Ｚ形を呈する。
図９中の矢印は折り畳み方向を示す。
【００２８】
（第三実施形態）
図１０に示す通り、固定機能を備えた折り畳み式ランニングマシンは、ランニング台本体１、複数の第一立柱３、コンソール２、２個の第一固定可能伸縮機構５、及び２個の第二立柱１０を有する。
コンソール２は、各第一立柱３の上端部に取り付けられる。
各第一立柱３の下端部は、ランニング台本体１の両側とそれぞれ可動するように接続され、しかも各第一立柱３は、ランニング台本体１に相対して前後に回転できる。
各第一立柱３の中部とランニング台本体１の両側の間には、左右対称に分布する各第一固定可能伸縮機構５をそれぞれ接続する。
任意の第一立柱３が、接続する第一固定可能伸縮機構５において伸び出した状態にある時、ランニング台本体１、接続する第一固定可能伸縮機構５との間には、三角形エリアを形成する。
こうして、各第一立柱３は、展開時には安定的に立て、各第一立柱３は、各第一固定可能伸縮機構５において収縮状態にある時には、ランニング台本体１に平行、或いは平行に近い。
【００２９】
第三実施形態中において、各第一立柱３の下端部は、ランニング台本体１の中部両側にそれヒンジ接続される。
各第一固定可能伸縮機構５は、各第一立柱３の中部前側とランニング台本体１の前部両側の間にそれぞれヒンジ接続される。
コンソール２の前端部と各第一立柱３の上端部は、可動するように接続し、しかもコンソール２は、各第一立柱３に相対して前後に回転できる。
コンソール２の中部底側とランニング台本体１の後部の両側の間には、各第二立柱１０をヒンジ接続する。
ランニング台本体１、コンソール２、各第一立柱３と各第二立柱１０は、平行四辺形機構を構成する。
【００３０】
第三実施形態中において、第一固定可能伸縮機構５は液圧シリンダー、気圧シリンダー或いは電動持ち上げポール等固定機能を備えた伸縮機構を採用することもできる。
固定機能を備えた折り畳み式ランニングマシンの使用方法は、以下の通りである。
（１）下方へ折り畳み時、先ず各第一固定可能伸縮機構５を緩め、続いて、力Ｆを用いて下方へコンソール２を押し、これによりコンソール２は、力Ｆ１により各第一立柱３を下方へと押し、各第二立柱１０はそれぞれ相対して回転し、各第一立柱３に平行な極限状態に折り畳まれる。次に各第一立柱３とコンソール２はいっしょに力Ｆ２により、各第一固定可能伸縮機構５を斜め下へと押し、ランニング台本体１に相対し、極限収納状態まで回転させて折り畳む。図１０中の矢印は折り畳み方向を示す。
（２）上方へと展開時、各第一固定可能伸縮機構５を通して、各第一立柱３と各第二立柱１０は極限状態まで自動的に展開され、各第一固定可能伸縮機構５を固定する。
【００３１】
（第四実施形態）
図１１に示す通り、固定機能を備えた折り畳み式ランニングマシンの構造と第三実施形態との違いは以下の通りである。
各第一立柱３の下端部は、ランニング台本体１の前部両側にそれぞれヒンジ接続する。
各第一固定可能伸縮機構５は、各第一立柱３の中部後側とランニング台本体１の中部両側の間にそれぞれヒンジ接続される。
コンソール２の中部底側と各第一立柱３の上端部は、可動するように接続し、しかもコンソール２は、各第一立柱３に相対して前後に回転できる。
コンソール２の前部とランニング台本体１の前部には、各第二立柱１０をヒンジ接続する。
ランニング台本体１、コンソール２、各第一立柱３と各第二立柱１０は、平行四辺形機構を構成する。
固定機能を備えた折り畳み式ランニングマシンの使用方法は、第三実施形態と相同であるが、展開後の形態は反対である。
図１１中の矢印は折り畳み方向を示す。
【００３２】
前述した本発明の実施形態は本発明を限定するものではなく、よって、本発明により保護される範囲は特許請求の範囲を基準とする。
【符号の説明】
【００３３】
１    ランニング台本体、
１０  第二立柱、
１１  第一支点、
１２  第二支点、
１３  第三支点、
１４  第四支点、
２    コンソール、
２１  第一可動回転点、
２２  第二可動回転点
３    第一立柱、
４    第二固定可能伸縮機構、
５    第一固定可能伸縮機構、
６    第一サポートブロック、
７    第二サポートブロック、
８    スイッチ、
８１  回転ハンドル、
８２  カム、
９１  シリンダー、
９２  ピストン、
９３  ピストンロッド、
９４  端蓋、
９５  ニードルロッド、
９６  シールリング、
９７  油液、
９８  気体、
９９  バルブ。
【図１】
2019171063.tif 000003
【図２】
2019171063.tif 000004
【図３】
2019171063.tif 000005
【図４】
2019171063.tif 000006
【図５】
2019171063.tif 000007
【図６】
2019171063.tif 000008
【図７】
2019171063.tif 000009
【図８】
2019171063.tif 000010
【図９】
2019171063.tif 000011
【図１０】
2019171063.tif 000012
【図１１】
2019171063.tif 000013